(57)【要約】【課題】効率的にスカムを処理できるスカム除去装置およびスカム除去方法を提供する。【解決手段】流入渠６等から排水ピット２にスカムＳを導入し、排水ピット２中に配した噴射ノズル２２ａ〜２２ｅ，２９ａ〜２９ｅより、圧力水３１ａ〜３１ｅを所定の俯角（例えば２０〜６０°）にて、圧力水３３ａ〜３３ｅを所定の仰角（例えば２０〜６０°）にて噴射する。これにより、排水ピット２内に旋回流８が発生するので、この旋回流の攪拌作用と噴射ノズルからの圧力水とにより、排水ピット内に導入されたスカムを確実に破砕し、スカム水として効率的に排水ピットから吐出できる。【選択図】図２
2011218306.tif 000002
【特許請求の範囲】
【請求項１】
流入渠に発生したスカムを水流に乗せてスカム排出機構側へ移動させ、除去するスカム除去装置において、
前記スカム排出機構の排水ピットに貯留したスカム水に対して所定の角度で圧力水を噴出する圧力水噴出手段と、
前記排水ピットの底部近傍かつその底部のほぼ中央部に配された吸入手段とを備え、
前記圧力水噴出手段からの圧力水によって前記排水ピット内に旋回流を生じさせ、前記吸入手段は、前記旋回流によって破砕されたスカムを吸入し、排水ピット外へ吐出することを特徴とするスカム除去装置。
【請求項２】
前記圧力水噴出手段は、前記排水ピットと流入渠との間に配した堰の垂直方向ほぼ中間かつその堰近傍であってスカム水に水没した位置にあり、所定の俯角を維持しながら前記排水ピット内へ圧力水を噴出することを特徴とする請求項１に記載のスカム除去装置。
【請求項３】
前記圧力水噴出手段は、前記排水ピットと流入渠との間に配した堰の垂直方向ほぼ中間かつその堰近傍であってスカム水に水没した位置にあり、所定の俯角で圧力水を噴出する第１の圧力水噴出手段と、前記第１の圧力水噴出手段と対角状に対向し、前記排水ピットの側壁側の底部近傍においてスカム水に水没した位置にあり、所定の仰角で圧力水を噴出する第２の圧力水噴出手段とからなることを特徴とする請求項１に記載のスカム除去装置。
【請求項４】
前記吸入手段の先端部に配された吸込口の形状が円形、楕円形、あるいは矩形であることを特徴とする請求項１乃至３のいずれかに記載のスカム除去装置。
【請求項５】
前記スカム排出機構は、前記流入渠の最下流側であって、沈殿池の上流側に配されていることを特徴とする請求項１乃至４のいずれかに記載のスカム除去装置。
【請求項６】
流入渠に発生したスカムを水流に乗せてスカム排出機構側へ移動させ、そのスカム排出機構の排水ピットに貯留したスカム水に対して所定の角度で圧力水を噴出して排水ピット内に旋回流を生じさせ、その旋回流によって破砕されたスカムを吸入し、排水ピット外へ吐出することを特徴とするスカム除去方法。
【請求項７】
前記排水ピットと流入渠との間に配した堰の垂直方向ほぼ中間かつその堰近傍であって、スカム水の水面下より所定の俯角を維持しながら排水ピット内へ前記圧力水を噴出することを特徴とする請求項６に記載のスカム除去方法。
【請求項８】
前記排水ピットと流入渠との間に配した堰の垂直方向ほぼ中間かつその堰近傍であってスカム水に水没した第１の位置より所定の俯角で圧力水を噴出するとともに、前記第１の位置と対角状に対向し、前記排水ピットの側壁側の底部近傍であってスカム水に水没した第２の位置より所定の仰角で圧力水を噴出することを特徴とする請求項６に記載のスカム除去方法。
【発明の詳細な説明】
【技術分野】
【０００１】
この発明は、例えば、下水処理場の導水渠等の水処理施設で発生するスカムを破砕し、取り除くためのスカム除去装置およびスカム除去方法に関するものである。
【背景技術】
【０００２】
下水処理場において沈殿池に送られる下水等の原水には、油脂や固形物等の浮上性の物質が含まれており、沈殿池内でそれらが浮上して凝集し、水面上に浮遊物（スカム層）が発生する。このようなスカムは、沈殿池で除去できずに処理水中に混入すると、処理水質の低下を招くため、導水渠内で可能な限り除去する必要がある。沈殿池等の水面上に発生するスカムを除去するため、従来より様々な装置が提案されている。例えば、特許文献１は、スカム面に波動を発生させてスカムを小片に破砕し、水流により収集装置まで流出させる方式をとる。
【０００３】
特許文献２および特許文献３には、可動堰を有するトラフにより、スカム排出時にトラフの流入堰の上端を水面下に位置させ、スカムをその流入堰を介してトラフ内に取入れて排出するようにしている。また、特許文献４に記載の装置では、圧力流体のスプレーを噴出させてスカムを移送し、移送されたスカムを吸込口に寄せ集めて収集している。さらに特許文献５に記載のパイプ式スカム排出装置（パイプスキマともいう）は、軸心方向（長手方向）に沿って細長の開口部を有するパイプを、スカム排出時にその軸心を中心に回動し、開口部の一部を水面下に位置させて、スカムをその開口部からパイプ内に取入れて排出している。
【０００４】
図５は、従来の下水処理場等におけるスカム除去の一例を示している。この例では、流入渠１００に溜まって浮上しているスカムＳを、可動堰１０２を介して排水ピット１０５内へ導入し、その排水ピット１０５に流入したスカムＳ等を、排水ピット１０５内に配された排出ポンプ１０７により吸い上げる構成となっている。
【先行技術文献】
【特許文献】
【０００５】
【特許文献１】特開２００３−１７０１６３号公報
【特許文献２】特開平９−１９６８２号公報
【特許文献３】特開２０００−２０２４３６号公報
【特許文献４】特開平０７−３０３８８２号公報
【特許文献５】特開２００４−２０２４９３号公報
【発明の概要】
【発明が解決しようとする課題】
【０００６】
従来のスカム除去装置には、スカムの回収効率が悪いという共通の問題がある。例えば、パイプスキマを使用したスカム除去装置は、パイプの開口部やトラフの流入堰が水面下に位置した直後には、開口部や流入堰近くにあるスカムがパイプやトラフ内に流入するが、その後は、わずかなスカムがパイプやトラフ内に流入するだけで、スカム全体の除去に長時間を要する。その上、スカムの除去に大量の水が必要となり、下水処理場等における運転費用等がかさむという問題があった。
【０００７】
また、図５に示す構成をとるスカム除去装置は、排出ポンプ１０７を使用して、排水ピット１０５の底面近傍よりスカム水等を吸引・排出しているが、流入渠に発生したスカムそのものを効率的に除去できないという問題がある。すなわち、図５に示すように水噴射ノズル１１０から排水ピット１０５内に適度に水を噴射・供給しつつ、排出ポンプ１０７によって排水ピット１０５内よりスカムを吸引する構成では、ピットに流入したスカムを効率的にピットの底部へ導くことができず、ほとんどのスカムが大きな塊状となってピットの水面上に浮遊した状態となる。そのため、流入渠の下流側においてスカムを人力やバキュームを使用し除去する等の作業が必要となり、その作業に時間を要することからスカムの除去効率が悪いという問題がある。さらには、固まった状態のスカムを除去するには、吸引能力の高い排出ポンプを使用する必要があるため、装置全体としての水処理効率が低下し、処理コストも嵩むといった問題がある。
【０００８】
本発明に係るスカム除去装置は、上記の課題に鑑みてなされたものであり、その目的は、排水ピットに流入したスカムを確実に破砕し、効率的に吐出することのできるスカム除去装置およびスカム除去方法を提供することである。
【課題を解決するための手段】
【０００９】
本発明に係るスカム除去装置は、上記目的を達成するために、流入渠に発生したスカムを水流に乗せてスカム排出機構側へ移動させ、除去するスカム除去装置において、前記スカム排出機構の排水ピットに貯留したスカム水に対して所定の角度で圧力水を噴出する圧力水噴出手段と、前記排水ピットの底部近傍かつその底部のほぼ中央部に配された吸入手段とを備え、前記圧力水噴出手段からの圧力水によって前記排水ピット内に旋回流を生じさせ、前記吸入手段は、前記旋回流によって破砕されたスカムを吸入し、排水ピット外へ吐出することを特徴とする。
例えば、前記圧力水噴出手段は、前記排水ピットと流入渠との間に配した堰の垂直方向ほぼ中間かつその堰近傍であってスカム水に水没した位置にあり、所定の俯角を維持しながら前記排水ピット内へ圧力水を噴出することを特徴とする。
また、例えば、前記圧力水噴出手段は、前記排水ピットと流入渠との間に配した堰の垂直方向ほぼ中間かつその堰近傍であってスカム水に水没した位置にあり、所定の俯角で圧力水を噴出する第１の圧力水噴出手段と、前記第１の圧力水噴出手段と対角状に対向し、前記排水ピットの側壁側の底部近傍においてスカム水に水没した位置にあり、所定の仰角で圧力水を噴出する第２の圧力水噴出手段とからなることを特徴とする。
さらに例えば、前記吸入手段の先端部に配された吸込口の形状が円形、楕円形、あるいは矩形であることを特徴とする。また、前記スカム排出機構は、前記流入渠の最下流側であって、沈殿池の上流側に配されていることを特徴とする。
本発明に係るスカム除去方法は、上記目的を達成するために、流入渠に発生したスカムを水流に乗せてスカム排出機構側へ移動させ、そのスカム排出機構の排水ピットに貯留したスカム水に対して所定の角度で圧力水を噴出して排水ピット内に旋回流を生じさせ、その旋回流によって破砕されたスカムを吸入し、排水ピット外へ吐出することを特徴とする。
例えば、前記排水ピットと流入渠との間に配した堰の垂直方向ほぼ中間かつその堰近傍であって、スカム水の水面下より所定の俯角を維持しながら排水ピット内へ前記圧力水を噴出することを特徴とする。
また、例えば、前記排水ピットと流入渠との間に配した堰の垂直方向ほぼ中間かつその堰近傍であってスカム水に水没した第１の位置より所定の俯角で圧力水を噴出するとともに、前記第１の位置と対角状に対向し、前記排水ピットの側壁側の底部近傍であってスカム水に水没した第２の位置より所定の仰角で圧力水を噴出することを特徴とする。
【発明の効果】
【００１０】
本発明に係るスカム除去装置は、流入渠に発生したスカムを水流に乗せてスカム排出機構側へ移動させ、そのスカム排出機構の排水ピット内に所定の角度を維持しながら圧力水を噴出する圧力水噴出手段と、圧力水とともに排水ピット内を旋回するスカムを吸入する吸入手段とを備える構成とすることで、圧力水噴出手段（噴射ノズル）からの圧力水により生じた旋回流により、排水ピット内に流入したスカムを確実に破砕し、そのスカムを効率的に排水ピット外へ吐出できる。また、
【００１１】
また、本発明に係るスカム除去方法は、流入渠に発生したスカムを水流に乗せてスカム排出機構側へ移動させ、そのスカム排出機構の排水ピット内に所定の俯角を維持しながら圧力水を噴出して、その圧力水により排水ピット内に旋回流を生じさせることで、その旋回流と圧力水とによってスカムを破砕するので、排水ピット内を旋回するスカム水を吸入して、効率的にスカムを除去できる。
【図面の簡単な説明】
【００１２】
【図１】本発明の実施の形態例に係るスカム除去装置を適用した下水処理場全体の様子を示す概略図である。
【図２】本発明の実施の形態例に係るスカム除去装置の構成を示す断面図である。
【図３】図２のＡ−Ａ線矢視図である。
【図４】本実施の形態例に係るスカム除去装置のスカム水吸込口の詳細構成を示す図である。
【図５】スカム水吸込口の向きを横向きにした例を示す図である。
【図６】噴射ノズルの詳細を示す部分拡大図である。
【図７】噴射ノズルの配置の変形例を示す図である。
【図８】従来のスカム除去装置の概略構成を示す図である。
【発明を実施するための形態】
【００１３】
以下、添付の図面を参照しながら、本発明に係る実施の形態例について詳細に説明する。図１は、本発明の実施の形態例に係るスカム除去装置を適用した下水処理場全体の様子を示す概略図である。また、図２は、本実施の形態例に係るスカム除去装置を適用した下水処理場の排水ピット付近の構成を示す断面図であり、図３は、図２のＡ−Ａ線矢視図である。なお、本実施の形態例における下水処理場の沈殿池については、下水処理場の初沈又は終沈、あるいはこれらの導水渠で、スカムの発生する水槽であれば、その性質は問わない。
【００１４】
図１に示す下水処理場１において、上流側（図の左側）より流入渠（導水渠）６に下水が流れ込み、それが図１において太い黒矢印で示すように、各沈殿池１ａ，１ｂ，１ｃの入り口側に設けられた流入口５１ａ，５１ｂ，５１ｃを介して、沈殿池１ａ，１ｂ，１ｃ内に流入する。これらの流入口５１ａ，５１ｂ，５１ｃは、流入渠６の水面下にその開口部を有しており、流入調整等のため、不図示のバルブが配されている。
【００１５】
沈殿池１ａ，１ｂ，１ｃの下流側には、パイプ式スカム排除機構１２が沈殿池を横断するように配されている。このパイプ式スカム排除機構１２は、その軸心が水面とほぼ一致するように設けられた所定径のパイプ１１と、このパイプ１１を図１において矢印で示すように回動させるモータＭ等を備えてなるもので、パイプ１１の一端側（図の右側）には、除去されたスカムを貯留するスカムピット１０が設けられている。パイプ式スカム排除機構１２によりスカムが除去された処理水は、沈殿池１ａ，１ｂ，１ｃの下流側において微生物処理、曝気処理等が施された後、放流される。
【００１６】
流入渠６の最下流側（図１において右奥側）には、本実施の形態例に係るスカム除去装置（スカム排出機構）が配されている。このスカム除去装置は、可動堰３を介して流入渠６に連結された排水ピット２を有する構成をとり、流入渠６の上流側から下流側に向けて流れてきた下水の水面に浮遊するスカムＳは、可動堰３を越えて、スカム水を取り出すための貯留槽として機能する排水ピット２内に流れ込む。
【００１７】
次に、本発明の実施の形態例に係るスカム除去装置（スカム排出機構）について詳細に説明する。図２に示す本実施の形態例に係るスカム除去装置において、原水（下水）を流入するための導水渠（流入渠）６と排水ピット２との間には、河床部６ａから垂直方向に延出する所定高の堰４が配されるとともに、この堰４の上端側に流入渠６の水位に追従できるように構成された可動堰３が設けられている。この可動堰３は、流入渠６の上部に配された駆動部５により垂直方向上下に動かすことができる。排水ピット２は、側壁（槽壁）２ａと底壁２ｂとで周囲を囲む、上開放の容器状をなしたコンクリート槽であって、その上面には着脱自在の蓋体２０が配されている。底壁２ｂの一部は、流入渠６側において堰４の方向に所定角度で傾斜する傾斜壁（流入路ともいう）２ｃとなっており、傾斜壁２ｃの上端部が流入渠６の河床部６ａの端部と連結する構造となっている。
【００１８】
図３に示すように排水ピット２の幅は、流入渠６の水路幅よりも狭くなるように構成されている。こうすることで、浮遊しながら流れてきたスカムＳを流入渠６の下流側において集中させ、それらを排水ピット２に効率的に流入させることができる。また、図２および図３に示すように、排水ピット２内の堰４の近傍には、排水ピット２の上開放部から下方側へほぼ垂直に延びる、所定の太さ（口径）をする水噴射用配管２１が導入されており、水噴射用配管２１の先端部分には、後述する所定の方向に圧力水３１ａ〜３１ｅを噴射するための複数の噴射ノズル２２ａ〜２２ｅが配されている。さらに、排水ピット２内の堰４に対向する側壁２ａの近傍にも、排水ピット２の上開放部から下方側へほぼ垂直に延びる、所定径の水噴射用配管２７が導入されており、その先端部分には、所定方向に圧力水３３ａ〜３３ｅを噴射するための複数の噴射ノズル２９ａ〜２９ｅが配されている。
【００１９】
排水ピット２内には、その底壁２ｂのほぼ中央上部に、排水ピット２内に溜まったスカム水を搬出するための搬出ポンプ２３が配置されている。この搬出ポンプ２３は、排水ピット２内のスカム水を効率的に吸入するため、底壁２ｂの近傍において、底壁２ｂに向けて開口する流入口（スカム水吸込口）２５ａを有する。また、搬出ポンプ２３からは、蓋体２０を貫通して排水ピット２の外側に向けて延びる吐出管２５が垂直方向に配されている。ここでは、排水ピット２からスカム水が溢れ出ないように、例えば、吐出管２５を水噴射用配管２１，２７に比して大径に形成し、スカム水の排出能力を高めるようにしている。搬出ポンプ２３は自吸式ポンプ等であって、例えば、水中ポンプや水封式の真空ポンプであってもよい。また、吐出管２５は、例えば、鋼等の金属や合成樹脂等からなる。
【００２０】
図４は、本実施の形態例に係るスカム除去装置のスカム水吸込口の詳細構成を示している。図４（ａ）は、搬出ポンプ２３の先端部分にある吸込口４１の形状が円形あるいは楕円形の場合を示しており、ここではスカム水の吸込効率等を考慮して、吸込口４１の口径ｄ１は管径ｄ２よりも大きく設定されている。また、図４（ｂ）は、ポンプ先端部分の吸込口４３が矩形の例を示しており、その開口寸法ｄ３は管径ｄ２よりも大きくなっている。なお、図２に示す例では、スカム水吸込口２５ａが排水ピット２の底壁２ｂに向けて（真下に向けて）開口しているが、その向きは、これに限定されない。例えば、図５に示すように搬出ポンプ２３の端部に曲がり管（エルボー管）２５ｃを配し、その先端部に、スカム水吸込口２５ａが横方向（水平方向）を向くように吸込口４１を設けてもよい。
【００２１】
次に、本発明の実施の形態例に係るスカム除去装置を適用した下水処理（スカム除去）方法について説明する。沈殿池や流入渠６等の水面上に発生し、浮遊するスカムは、通常、一定の厚さと固さを有し、一つの大きな平板状を呈する。そこで、本実施の形態例に係るスカム除去装置では、効率的にスカムを除去するため、例えば、図１等には示されていない圧力流体や波動等を使用して、流入渠６の水面に浮かぶスカムＳを、堰４側へ移動させる。堰４およびその近傍に到来したスカムＳは、流入渠６から排水ピット２への水の流れと後続のスカムによる押圧力等によって堰４を越え、排水ピット２内になだれ込む。
【００２２】
図６は、排水ピット２内に配された噴射ノズルの詳細を示す部分拡大図である。本実施の形態例に係るスカム除去装置では、排水ピット２内に圧力水３１ａ〜３１ｅを噴射するため、水噴射用配管２１の先端部分には、水噴射用配管２１の垂直部分２１ｂにほぼ直交し、水平方向に延びるヘッダ管２１ａが設けられている。そして、ヘッダ管２１ａには、その軸方向に、ほぼ等間隔に５個の噴射ノズル２２ａ〜２２ｅが配されている。水噴射用配管２１やヘッダ管２１ａは、例えば、鋼等の金属や合成樹脂等からなる。なお、水噴射用配管２７の先端部分に配された噴射ノズル２９ａ〜２９ｅの構成も、噴射ノズル２２ａ〜２２ｅと同様であるため、ここではそれらの図示および説明を省略する。
【００２３】
水噴射用配管２１の先端部分に配されたヘッダ管２１ａに設けた噴射ノズル２２ａ〜２２ｅは、堰４の垂直方向ほぼ中央であって、堰４の近傍（堰４から、排水ピット２の中心に向ってわずかに離れている。）において排水ピット２内のスカム水に水没する位置（水面下）にある。これらの噴射ノズル２２ａ〜２２ｅからは、図６に示すように水平線ｈに対して、例えば、俯角θ＝２０〜６０°の角度で、排水ピット２の中央部分に向けて圧力水３１ａ〜３１ｅが噴射される。圧力水の圧力は、例えば、０．５〜１０ｋｇ／ｃｍ2である。一方、水噴射用配管２７の先端部分にあるヘッダ管２７ａに設けられた噴射ノズル２９ａ〜２９ｅは、排水ピット２の側壁２ａ側の底壁２ｂ近傍であって、噴射ノズル２２ａ〜２２ｅに対角状に対向するとともに、排水ピット２内のスカム水に水没する位置にある。そして、これらの噴射ノズル２９ａ〜２９ｅからは、水平線に対して、例えば、仰角θ＝２０〜６０°の角度で、排水ピット２の中央部分に向けて圧力水３３ａ〜３３ｅが噴射される。
【００２４】
上述した角度で噴射ノズル２２ａ〜２２ｅから噴射された圧力水３１ａ〜３１ｅと、噴射ノズル２９ａ〜２９ｅから噴射された圧力水３３ａ〜３３ｅとにより、排水ピット２内には、図２において渦状の線で示すような旋回流８が発生する。その結果、流入渠６より、スカム取入口としての堰４の上部を越えて排水ピット２内に流入したスカムは、この旋回流の回動・攪拌作用と、上述した噴射ノズルから噴射された圧力水から受ける衝撃とにより小片に破砕される。そして、破砕されたスカムとノズルからの噴射水とからなるスカム水が旋回流となり、それらが排水ピット２内で攪拌される。
【００２５】
スカムが水とともに攪拌された状態にあるスカム水は、旋回流となって排水ピット２内を旋回し、排水ピット２の底部に達したとき、搬出ポンプ２３の作動により、スカム水の吸込口である流入口２５ａより吸い込まれる。流入口２５ａより吸引されたスカム水は、吐出管２５を経由して搬送され、排水ピット２の外部へと送水・排出される。なお、水噴射用配管２１には、その途中に水圧調整用の加圧弁、減圧弁等（図示せず）を備えている。また、噴射ノズル２２ａ〜２２ｅ，２９ａ〜２９ｅそれぞれから噴射された圧力水は、例えば、図２に示すように互いに平行になるように噴射されるので、排水ピット２内に流入したスカムに対して一様に加圧でき、排水ピット２内においてスカム水を効率よく旋回させることができる。
【００２６】
以上説明したように、本発明の実施の形態例によれば、流入渠から排水ピットにスカムを導入し、排水ピット内に配した複数の噴射ノズルより圧力水を所定方向に噴射して、排水ピット内にスカム水の旋回流を発生させる。このような構成とすることで、旋回流の攪拌作用と噴射ノズルからの圧力水とにより、排水ピット内に流入したスカムを確実に小片状態に破砕し、しかも、破砕されたスカムが水とともに旋回するので、排水ピットの底壁近傍に配したスカム水吸込口より、そのスカムを効率的に吸引し、ピット外部へ吐出・排出することができる。
【００２７】
また、排水ピット内において相互に対角状に対向するとともにスカム水に水没する位置から、所定の俯角を維持して排水ピットに貯留したスカム水の中央部分に向けて圧力水を噴射すると同時に、所定の仰角を維持して排水ピット内のスカム水に圧力水を噴射することで、排水ピット内において効率よくスカム水の旋回流を発生させることができる。これにより確実にスカムを粉砕でき、スカムの除去効率を良好に保つことが可能となる。
【００２８】
さらには、沈殿池の上流側において、流入渠に浮上していた、初沈から採取したスカムを効率良く除去できるので、その下流側に位置する沈殿池におけるスカム除去の負担を大幅に軽減できる。その結果、従来の撹拌ポンプや攪拌プロペラ等を使用した大規模の装置を使用してスカムを破砕等する方法に比べて、装置構成を簡単かつ低廉化できる。
【００２９】
また、排水ピット内における圧力水の噴射と、排水ピットからのスカム水の吐出のみで効率的にスカムを除去できるので、最小量の水の使用によってスカム処理が可能となるため、スカム除去装置の動力費や運用費（ランニングコスト）を抑えることができる。同時に二酸化炭素（ＣＯ2）の発生を抑制することができ、いわゆるエコ対策、省エネ対策への貢献も可能となる。
【００３０】
なお、本発明は上述した実施の形態例に限定されるものではなく、本発明の要旨を逸脱しない範囲において設計変更等が可能である。本発明に係るスカム除去装置は、下水処理場での使用に限定されず、例えば、各種工場廃水等の廃水処理施設において、スカムの発生する水槽等にも適用可能である。さらに、食品工場や化学工場等において、いわゆる有価物を浮上させて分離する処理にも適用可能である。したがって、本発明で水というときは、下水や廃水の水だけでなく各種の液体をも意味している。
【００３１】
水噴射用配管２１，２７のうち、水噴射用配管２１のみを排水ピット内に配して、噴射ノズル２２ａ〜２２ｅから排水ピット内に水を噴射する構成にしてもよい。その場合、排水ピット内に所定の旋回流を形成するため、噴射ノズルから噴射される圧力水の圧力を、２つの水噴射用配管を使用する場合に比べて大きくしてもよい。また、噴射ノズルの数も、図２等に示す数に限定されない。
【００３２】
さらに、噴射ノズルから噴射する圧力水については、いずれの噴射ノズルからも均一の圧力の水を噴射してもよいし、周期的に圧力を変えたり、あるいは、スカムの発生量やスカム除去装置の運行時間帯等に応じて圧力を変えてもよい。さらには、噴射ノズル毎に圧力の異なる圧力水を噴射して、排水ピット内における旋回流がより複雑な旋流となるようにすることで、スカムの破砕を促進することも可能である。また、噴射ノズルからの圧力水の噴射角度は、上述した例に限定されず、例えば、排水ピットの大きさや形状に応じて適宜変更してもよい。
【００３３】
上述した例では、図２に示すように、排水ピット２内において水没する位置に、異なる噴射角度を有する噴射ノズル２２ａ〜２２ｅ，２９ａ〜２９ｅを配したが、これに限定されない。例えば、図７に示すように、水噴射用配管２１に隣接した状態で排水ピット２の上開放部から下方側へほぼ垂直に延びる水噴射用配管６３を設け、排水ピット２内のスカム水の水面上部に噴射ノズル６１ａ〜６１ｅを配してもよい。このようにすることで、排水ピット２の水面に浮いたスカムをより効率的に旋回流に乗せることができる。
【符号の説明】
【００３４】
１    下水処理場
１ａ，１ｂ，１ｃ    沈殿池
２    排水ピット
２ａ    側壁（槽壁）
２ｂ    底壁
２ｃ    傾斜壁
３    可動堰
４    堰
５    駆動部
６    流入渠
６ａ    河床部
８    旋回流
１０    スカムピット
１１    パイプ
１２    パイプ式スカム排除機構
２１，２７    水噴射用配管
２１ａ，２７ａ    ヘッダ管
２２ａ〜２２ｅ，２９ａ〜２９ｅ，６１ａ〜６１ｅ    噴射ノズル
２３    搬出ポンプ
２５    吐出管
２５ａ    流入口（スカム水吸込口）
２５ｃ    曲がり管（エルボー管）
３１ａ〜３１ｅ，３３ａ〜３３ｅ    圧力水
４１，４３    吸込口
５１ａ，５１ｂ，５１ｃ    流入口
Ｍ    モータ
ｈ    水平線
Ｓ，ｓ    スカム
【図１】
2011218306.tif 000003
【図２】
2011218306.tif 000004
【図３】
2011218306.tif 000005
【図４】
2011218306.tif 000006
【図５】
2011218306.tif 000007
【図６】
2011218306.tif 000008
【図７】
2011218306.tif 000009
【図８】
2011218306.tif 000010